(57)【特許請求の範囲】
【請求項１】
誘電体からなるケース部と、
前記ケース部の外部面に密着固定される放射部と、一端部が前記ケース部を貫通して前記ケース部の内側面から露出されるよう前記放射部の端部から延長される端子部とを備えて前記ケース部に一体に備えられる放射体と、
前記放射部と前記端子部の一面に形成されるとともに、前記放射部の一面に形成される部分は前記ケース部の外部に露出され、前記端子部の一面に形成される部分は前記ケース部の内側面に密着される保護フィルムと、
前記ケース部の内部空間に配置される基板と前記ケース部との対応時、一端が前記ケース部の内側面で前記端子部と弾力的に接して、前記端子部と電気的に接続する接触ピンと、を含むケース一体型アンテナ。
【請求項２】
前記ケース部は、前記基板が配置される内部空間を形成するよう上下合型される前後面ケースのうちいずれか一つであることを特徴とする請求項１に記載のケース一体型アンテナ。
【請求項３】
前記放射体は、前記放射部と端子部が前記保護フィルムの一側表面に導電材でパターン印刷される導電性パターンからなることを特徴とする請求項１または２に記載のケース一体型アンテナ。
【請求項４】
前記放射部は、前記保護フィルムを通して外部に露出されることを特徴とする請求項３に記載のケース一体型アンテナ。
【請求項５】
前記端子部は、前記ケース部の内側面に密着する少なくとも一つの給電端子と、少なくとも一つの接地端子からなることを特徴とする請求項１から４のいずれか１項に記載のケース一体型アンテナ。
【請求項６】
前記接触ピンは、前記基板に備えられるＲＦ回路と電気的に連結される弾性部材で備えられることを特徴とする請求項１から５のいずれか１項に記載のケース一体型アンテナ。
【請求項７】
保護フィルムの表面に、放射部と、前記放射部の端部から延長される端子部と、前記端子部の前記放射部と連結された端部の反対の端部から延長される固定端とを含む放射体を導電パターンに形成する段階と、
前記放射体の前記固定端を下部金型に備えられる複数個の位置決定ピンのうちいずれか一つに固定しながら前記保護フィルムの前記放射部が形成された部分が前記下部金型の下部キャビティの底面に密着され、前記保護フィルムの前記端子部が形成された部分が前記下部キャビティの内側面と所定の間隔を置くように配置する段階と、
前記下部金型上に上部金型を合型して形成されるキャビティ内に誘電体樹脂物を注入して前記放射部が前記保護フィルムを通して外部に露出され前記端子部が側面から内部に露出されるように前記放射体が一体に備えられたケース部を成形する段階と、
前記上下部金型とケース部とを分離した後、前記ケース部から外部突出された固定端を切断する段階と、を含むケース一体型アンテナの製造方法。
【請求項８】
前記固定端は、前記位置決定ピンに挿入される固定孔を含むことを特徴とする請求項７に記載のケース一体型アンテナの製造方法。
【請求項９】
前記成形する段階は、前記端子部の前記放射部と連結される端部を前記ケース部に埋め込むよう成形することを特徴とする請求項７または８に記載のケース一体型アンテナの製造方法。
【請求項１０】
前記放射体が一体に成形された前面ケースを基板に隣接するよう配置して前記基板に備えられた接触ピンと前記放射体の端子部を前記ケースの内側面で接触させる段階をさらに含むことを特徴とする請求項７から９のいずれか１項に記載のケース一体型アンテナの製造方法。
【請求項１１】
前記接触ピンは、前記端子部に弾力的に接触されることを特徴とする請求項１０に記載のケース一体型アンテナの製造方法。
【発明の詳細な説明】
【技術分野】
【０００１】
本発明はケースに一体に備えられるアンテナ及びこれを製造する方法に関するもので、さらに詳しくは、構成部品数を減らして製造コストを低減し、アンテナの設計自由度を高めることができ、放射特性をより向上させるケース一体型アンテナ及びその製造方法に関する。
【背景技術】
【０００２】
最近、無線通信の急激な発展により携帯電話、ＰＤＡなどのような無線通信端末機の普及が増加し続けており、これによって端末機の小型化が急速に進んでいる。また、ノート型パソコン及びその他の携帯用電子装置にも無線ラン接続機能が内蔵されるなど、殆どの携帯用電子機器に無線通信機能が搭載されている。
【０００３】
従って、このような電子機器に採用されるアンテナも小型化し、特に最近は機器の内部に内蔵される形態の内蔵アンテナが広く使われている。
【０００４】
特許文献１には携帯電話の本体に解体可能に固定されるベースと、上記ベースの表面に一体に備えられる支持フィルム及び上記支持フィルムに塗布されるアンテナパターンを含んで携帯電話の内部に内蔵されるアンテナが開示されている。
【０００５】
ところが、このような内蔵アンテナは、上記本体に別途の締結部材として着脱可能に組み立てられるベースに備えられ、上記本体に別途に組み立てなければならず、構成部品数が多くなり組立工程が複雑となるという問題点があった。
【０００６】
また、上記本体より相対的に小さい大きさを有するベースに備えられなければならないため、アンテナの設計時に放射面積を拡大して放射特性を向上させるには限界があった。
【０００７】
【特許文献１】大韓民国特許公開１０−２００６−００１１８０８号
【発明の開示】
【発明が解決しようとする課題】
【０００８】
従って、本発明は上記のような従来の問題点を解消するため提案されたもので、その目的は、構成部品数を減らして製造コストを低減し、アンテナの設計自由度を高めることができ、放射特性をより向上させるケース一体型アンテナ及びその製造方法を提供することにある。
【課題を解決するための手段】
【０００９】
上記の目的を解決するための具体的な手段として、本発明は、誘電体からなるケース部と、上記ケース部の外部面に密着固定される放射部と、上記ケース部を貫通して上記ケース部の内部に露出されるよう上記放射部の端部から延長される端子部を備えて上記ケース部に一体に備えられる放射体と、上記端子部と電気的に接続するよう上記ケース部に隣接して配置される基板に備えられる接触ピンと、を含むケース一体型アンテナを提供する。
【００１０】
好ましく、上記ケース部は、上記基板が配置される内部空間を形成するよう上下合型される前後面ケースのうちいずれか一つである。
【００１１】
好ましく、上記放射体は、上記放射部と端子部が一側表面に導電材でパターン印刷される保護フィルムをさらに含む。
【００１２】
さらに好ましく、上記放射部は、上記保護フィルムを通して外部へ露出される。
【００１３】
好ましく、上記端子部は、上記ケースの内部面に密着する少なくとも一つの給電端子と、少なくとも一つの接地端子とからなる。
【００１４】
好ましく、上記接触ピンは、上記基板に備えられるＲＦ回路と電気的に連結され、上記端子部と一端が弾力的に接する弾性部材で備えられる。
【００１５】
また本発明は、放射体を提供する段階と、上記放射体の固定端を下部金型に固定しながら上記放射体を下部金型の下部キャビティに配置する段階と、上記下部金型上に上部金型を合型して形成されるキャビティ内に誘電体樹脂物を注入して上記放射体が一体に備えられたケース部を成形する段階と、上記上下部金型とケース部を分離した後、上記ケース部から外部突出された固定端を切断する段階と、を含むケース一体型アンテナの製造方法を提供する。
【００１６】
好ましく、上記放射体は、保護フィルムの表面に導電性パターンを形成して放射部と端子部を形成する。
【００１７】
さらに好ましく、上記放射部は、上記保護フィルムを通して外部露出される。
【００１８】
好ましく、上記放射体を配置する段階は、上記放射体の固定端を上記下部金型に備えられる複数個の位置決定ピンのうちいずれか一つに固定する。
【００１９】
さらに好ましく、上記固定端は、上記位置決定ピンに挿入される固定孔として備えられる。
【００２０】
好ましく、上記成形する段階は、上記放射体の放射部がケース部の外部面に密着して外部露出されながら上記放射部の一端部から延長される端子部が上記ケース部の内部面に内部露出され、上記放射部と端子部を連結する部分を上記ケース部に埋め込むよう成形する。
【００２１】
好ましく、上記放射体が一体に成形された前面ケースを基板に隣接するよう配置して上記基板に備えられた接触ピンと上記放射体の端子部を接触させる段階をさらに含む。
【００２２】
さらに好ましく、上記接触ピンは、上記端子部に弾力的に接触される。
【発明の効果】
【００２３】
本発明によると、ケース部の外部面に放射部が外部露出され、ケース部の内部面に端子部が内部露出され放射部と端子部を連結する連結部分がケース部に埋め込まれるよう放射体がケース部に一体に備えられ、接触ピンを備える基板をケース部に隣接するよう配置して接触ピンと端子部との接触によって一連の回路を構成することにより、従来のように放射体を別途のベースに供えた後、これを基板に組み立てる必要がないため、構成部品数を減らして組立工程を単純化し、製造コストを低減し組立作業性を向上させることが出来る。
【００２４】
また、表面積の広いケース部に備えられる放射体の設計自由度を高めアンテナの放射特性を著しく向上させるという効果が得られる。
【発明を実施するための最良の形態】
【００２５】
以下、本発明について添付の図面により詳しく説明する。
図１は本発明によるケース一体型アンテナを図示した分解斜視図で、図２は本発明によるケース一体型アンテナの縦断面図で、図３は本発明によるケース一体型アンテナの端子部と接触ピンとの接触状態を図示した詳細図で、図４は本発明によるケース一体型アンテナを図示した平面図である。
【００２６】
本発明の実施例によるアンテナ１００は、図１乃至４に図示した通り、ケース部１１０と、上記ケース部１１０に一体に備えられる放射体１２０及び上記放射体１２０と弾力的に接触される接触ピン１３０を含んで構成される。
【００２７】
上記ケース部１１０は誘電体からなる樹脂物を素材として成形される成形構造物である。
【００２８】
このようなケース部１１０は、基板１４０を内部空間に配置できるよう合型される前面ケース１１０ａと後面ケース１１０ｂとで構成されることができ、上記基板１４０には複数個の電子部品及び上記接触ピン１３０と電気的に連結されるＲＦ回路が搭載される。
【００２９】
上記放射体１２０は、放射部１２１と端子部１２２及び保護フィルム１２３を含んで上記ケース部１１０に一体に備えられ、上記放射部１２１と端子部１２２は上記保護フィルム１２３の一側表面に導電材を素材として予め設定された一定パターンで印刷されるか蒸着される。
【００３０】
上記放射部１２１と端子部１２２を含む放射体１２０は、導電物質からなり電磁気波による誘導電流を発生したり、電気信号により電磁気波を発生して信号の物理的な入出力を行う。
【００３１】
上記放射部１２１は上記ケース部１１０を構成する前面ケース１１０ａの成形時その外部面に密着し、上記端子部１２２は上記放射部１２１から延長される一端部が上記前面ケース１１０ａの成形時に上記前面ケース部１１０を貫通して上記前面ケース１１０ａの内部に露出される。
【００３２】
また、上記放射部１２１が形成された保護フィルム１２３は上記前面ケース１１０ａの外部へ露出される反面、上記端子部が形成された保護フィルム１２３は前面ケース１１０ａの内部面に密着する。 
【００３３】
ここで上記放射体１２０は、アンテナを使用しようとする周波数をλとする場合、上記放射部１２１はλ／４の電気的長さを有するよう形成されることが好ましく、上記放射部１２１には所定の形態のスリットを形成することが好ましい。
【００３４】
このようなスリットは、放射体１２０の電気的な全体長さを変化させ、放射体１２０内に電気的なカップリングを発生させてアンテナの帯域幅を拡張したり、更なる共振周波数を導入して広帯域または多重帯域のアンテナを具現するようにする。
【００３５】
上記保護フィルム１２３は透明なポリマー材質からなることが好ましく、ＰＥＴ（Ｐｏｌｙｅｔｈｙｌｅｎｅ  Ｔｅｒｅｐｈｔｈａｌａｔｅ）、ＰＰ（Ｐｏｌｙｐｒｏｐｙｌｅｎｅ）、ＰＥ（Ｐｏｌｙｅｔｈｙｌｅｎｅ）のうちいずれか一つからなることがより好ましい。
【００３６】
また、上記接触ピン１３０は、上記ケース部１１０の前面ケース１１０ａに隣接して配置される基板１４０のＲＦ回路（未図示）と電気的に連結されるよう備えられる伝導性弾性部材で備えられる。
【００３７】
このような接触ピン１３０は、上記前面ケース１１０ａと基板１４０との対応時に上記前面ケースの内部面に外部露出される端子部１２２と自由端が弾力的に接触して上記端子部１２２と電気的に連結される。
【００３８】
この際、上記接触ピン１３０は、上記基板１４０に固定される固定片１３１ａと、上記固定片１３１ａから延長され上記端子部１２２に弾力的に接触するよう折曲されたベンディング弾性片１３１ｂで備えられる。
【００３９】
上記接触ピン１３０と接続される端子部１２２は、上記放射部１２１から延長される上記前面ケース１１０ａの内部面に密着する少なくとも一つ以上の給電端子と、少なくとも一つ以上の接地端子からなり、上記接触ピン１３０も上記給電端子と接地端子と個別に接続するよう備えられる。
【００４０】
ここで、上記放射体１２０は、上記ケース部１１０を構成する前面ケース１１０ａに備えられるものと図示して説明したが、これに限定されず、上記前面ケース１１０ｂと対応して組み立てられる後面ケース１１０ｂまたは上記基板１４０の上部面に独立して組み立てられる射出構造物に適用されることも出来る。
【００４１】
図５ａ、ｂ、ｃ及びｄは、本発明の実施例によるケース一体型アンテナを製造する工程を図示した工程図である。
【００４２】
放射部１２１と端子部１２２は、図５ａに図示した通り、透明な保護フィルム１２３の外部表面に形成された放射体１２０を提供する。
【００４３】
上記放射部１２１と端子部１２２は、上記保護フィルム１２３の外部表面に予め設定されたパターンに沿って印刷される導電性パターンである。
【００４４】
また、上記放射体１２０は、図５ｂに図示した通り、下部金型１７１の下部キャビティ１７２に配置する。
【００４５】
この際、上記放射体１２０から一端に延長された固定端１２４は、上記下部金型と上部金型１７３との合型時に上記上部金型１７３に形成された位置決定孔（未図示）に挿入され結合するよう上記下部金型１７１に備えられる複数個の位置決定ピン１７５のうちいずれか一つにかかって固定される。
【００４６】
ここで、上記固定端１２４は、上記位置決定ピン１７５が挿入される固定孔の形態で備えられることが好ましい。
【００４７】
これによって、上記放射体１２０は上記位置決定ピン１７５が固定される固定端１２４によって成形樹脂物が注入される間にも初期位置を頑固に保持することが出来る。
【００４８】
続いて、図５ｃに図示した通り、上記下部金型１７１と上部金型１７３が合型されると、上記下部金型１７１に備えられた位置決定ピン１７５は上記上部金型１７３の位置決定孔に挿入され、上記上部金型１７３の下部面に突出形成された突出段差１７４は上記下部金型１７１の下部キャビティ１７２内に挿入される。
【００４９】
ここで、上記放射部１２１と対応する突出段差１７４の下部面は、上記下部キャビティ１７２に配置される放射体１２０の放射部１２１と一定の間隔をもって離隔されるが、上記放射部１２１が形成される保護フィルム１２３は上記下部キャビティ１７２の底面に密着するようにする。
【００５０】
その反面、上記端子部１２２と対応する突出段差１７４の外部面は上記端子部と密着するが、上記端子部が形成される保護フィルムは上記下部キャビティの内部側面と一定の間隔をもって離隔されるようにする。
【００５１】
また、上記上下部金型１７１，１７３が合型され、これらの間に形成されるキャビティＣに放射体１２０が配置された状態で、上記出口端が上記キャビティＣに配置される注入口１７６を通して誘電体成形樹脂物が注入されると、上記誘電体成形樹脂物が上記キャビティＣに満たされ上記放射体１２０が一体に付着した前面ケース１１０ａを成形することとなる。
【００５２】
この際、上記放射体１２０は一端に形成された固定端１２４が位置決定ピン１７５にかかって位置固定されるため、上記上下部金型の間に形成されたキャビティＣ内に高圧の誘電体成形樹脂物を注入しても初期の固定位置は変わらない。
【００５３】
次いで、上記上下部金型１７１，１７３の間のキャビティＣに注入された誘電体成形樹脂物が一定時間経過して硬化された後、上記上下部金型１７１，１７３を相互分離すると、図５ｄに図示した通り、上記下部金型１７１に一定の深さで陥没形成された下部キャビティ１７２の底面に密着していた放射部１２１が上記前面ケース１１０ａの外部面に露出される反面、上記上部金型１７３の突出段差１７４に密着していた端子部１２２が前面ケース１１０ａの内部面に露出され、上記放射部１２１と端子部１２２の間を連結する部分が成形樹脂物に埋め込まれた前面ケース１１０ａを製造することとなる。
【００５４】
そして、上記上下部金型１７１，１７３から分離された前面ケース１１０ａから外部へ突出された放射体１２０の固定端１２４は、切断して除去する。
【００５５】
一方、上部面に接触ピン１３０が備えられた基板１４０を前面ケース１１０ａに隣接するよう配置すると、上記接触ピン１３０は上記前面ケース１１０ａの内部面に露出される端子部１２２と対応して弾力的に接触するため、上記接触ピン１３０と電気的にＲＥ回路部は上記放射体１２０と一連の回路を形成することとなる。
【００５６】
また、上記前面ケース１１０ａの外部面に露出される放射部１２１は、保護フィルム１２３を通して外部露出されるため、外部環境によって上記放射部１２１が短絡したり損傷することを防ぐこととなる。
【００５７】
本発明は、特定の実施例に関して図示し説明したが、添付の特許請求の範囲による本発明の精神や分野を外れない範囲内で本発明が多様に改造及び変化できるということを当業界において通常の知識を有している者は容易に分かることを明らかにする。
【図面の簡単な説明】
【００５８】
【図１】本発明によるケース一体型アンテナを図示した分解斜視図である。
【図２】本発明によるケース一体型アンテナの縦断面図である。
【図３】本発明によるケース一体型アンテナの端子部と接触ピンとの接触状態を図示した詳細図である。
【図４】本発明によるケース一体型アンテナを図示した平面図である。
【図５ａ】本発明によるケース一体型アンテナを製造する工程を図示した手順図である。
【図５ｂ】本発明によるケース一体型アンテナを製造する工程を図示した手順図である。
【図５ｃ】本発明によるケース一体型アンテナを製造する工程を図示した手順図である。
【図５ｄ】本発明によるケース一体型アンテナを製造する工程を図示した手順図である。
【符号の説明】
【００５９】
１１０  ケース部
１１０ａ、１１０ｂ  前後面ケース
１２０  放射体
１２１  放射部
１２２  端子部
１２３  保護フィルム
１２４  固定端
１３０  接触ピン
１４０  基板
【図１】
0004739375.tif 000002
【図２】
0004739375.tif 000003
【図３】
0004739375.tif 000004
【図４】
0004739375.tif 000005
【図５ａ】
0004739375.tif 000006
【図５ｂ】
0004739375.tif 000007
【図５ｃ】
0004739375.tif 000008
【図５ｄ】
0004739375.tif 000009